(57)【要約】  【課題】  カムスライダのラック部の反りを防止し、歯飛びによる異常動作をなくした光ディスク装置を提供することである。  【解決手段】  光ディスク装置は、光ディスクを搬送するディスクトレイ１２と、トラバースを昇降させるカムスライダ１３と、カムスライダ１３のラック部１３ａに噛合してカムスライダ１３を駆動するカムスライダ駆動ピニオン１４と、ディスクトレイ１２とカムスライダ１３とカムスライダ駆動ピニオン１４とを支持するローダシャーシ１１とを備え、少なくともカムスライダ１３の駆動開始時に、カムスライダ１３のラック部１３ａに対向するディスクトレイ１２側に、ラック部１３ａとディスクトレイ１２との間を所定の間隔以上に保つＬ字型の突起１５を設けた構成とする。【選択図】      図１
2007018670.tif 000002
【特許請求の範囲】
【請求項１】
光ディスクを搬送するディスクトレイと、トラバースを昇降させるカムスライダと、該
カムスライダのラック部に噛合してカムスライダを駆動するカムスライダ駆動ピニオンと
、前記ディスクトレイと前記カムスライダと前記カムスライダ駆動ピニオンとを支持する
ローダシャーシとを備えた光ディスク装置において、
少なくとも前記カムスライダの駆動開始時に、前記カムスライダのラック部に対向する
前記ディスクトレイ側に、前記ラック部と前記ディスクトレイとの間を所定の間隔以上に
保つＬ字型の突起を設けたことを特徴とする光ディスク装置。
【請求項２】
光ディスクを搬送するディスクトレイと、トラバースを昇降させるカムスライダと、該
カムスライダのラック部に噛合してカムスライダを駆動するカムスライダ駆動ピニオンと
、前記ディスクトレイと前記カムスライダと前記カムスライダ駆動ピニオンとを支持する
ローダシャーシとを備えた光ディスク装置において、
少なくとも前記カムスライダと前記カムスライダ駆動ピニオンとの噛合開始時に、前記
カムスライダのラック部と前記ディスクトレイとの間を所定の間隔以上に保つ間隔保持部
材を設けたことを特徴とする光ディスク装置。
【請求項３】
前記間隔保持部材は、ディスクトレイに設けられた突起であることを特徴とする請求項
２記載の光ディスク装置。
【請求項４】
前記間隔保持部材は、ラック部に設けられた突起であることを特徴とする請求項２記載
の光ディスク装置。
【請求項５】
前記間隔保持部材は、ローダシャーシに設けられた突起であることを特徴とする請求項
２記載の光ディスク装置。
【発明の詳細な説明】
【技術分野】
【０００１】
本発明は、ＤＶＤ、ＣＤ等の光ディスクを再生、記録する光ディスク装置に関するもの
である。
【背景技術】
【０００２】
ＤＶＤ、ＣＤ等の光ディスクを再生、記録する光ディスク装置には、光ディスクの搬送
や駆動のために多数のギヤが用いられている。駆動時の負荷や熱によりこれらギヤの周辺
の部材が変形すると、ギヤが正確に噛み合わない状態となる。その結果、光ディスク装置
が正常に動作しなくなる。そこで、様々な改善策が提案されている。
【０００３】
例えば、特許文献１には、ディスク装置のシャーシにターンテーブル等を搭載する機構
ユニットを従動部材として昇降させるためスライド可能に搭載されたディスク装置用スラ
イドカムであって、スライドに延在する直線受け部、及び直線受け部から連続して水平方
向に傾斜された傾斜受け部を備え、機構ユニットのガイドピンが支持されて移動するカム
溝と、傾斜受け部の下方に形成され、傾斜受け部を弾性変形可能とする空洞部と、空洞部
内の傾斜受け部の略先端の下に形成されたストッパ突起部とを含み、傾斜受け部の変形が
、ストッパ突起部によって規制されたディスク装置用スライドカムが開示されている。
【０００４】
また例えば、特許文献２には、ディスク排出位置のトレイに対して、トレイ出没方向と
は直交する向きの力が作用し、ラックとピニオンの噛み合いが外れる方向へトレイが変位
した場合、ラックのリブはシャフトの頭部をラック側へ押圧し、固定シャーシ上のシャフ
トを弾性変形させることが記載されている。これに伴って、ピニオンがトレイの変位量に
応じた距離だけ移動し、ラックとピニオンの噛み合い状態が維持されると記載されている
。
【０００５】
また例えば、特許文献３には、ギヤの歯の形状について開示されている。ラックギヤは
基部の一方側に複数の歯を等ピッチでヒンジ部を介して起立し、そして各歯は傾斜してい
るとともに間には溝を設け、上記ヒンジ部は基部の厚さより薄くなっている。そこでピニ
オンギヤが噛み合う場合にはヒンジ部の捩れ変形及び曲げ変形にて歯は起立し、又後方へ
撓むことができる。
【特許文献１】特開２００３−１４１８４９号公報
【特許文献２】特開平４−１３７２５５号公報
【特許文献３】特開２００５−６９２６２号公報
【発明の開示】
【発明が解決しようとする課題】
【０００６】
ところで、光ディスク装置は、トラバースを駆動させて光ディスクをチャッキングして
いる。このトラバースの駆動にはカムスライダが用いられている。図５（ａ）はカムスラ
イダとカムスライダ駆動ピニオンとの位置関係を示す平面図、図５（ｂ）は図５（ａ）の
正面図である。ローダシャーシ（不図示）に、カムスライダ１３０と、カムスライダ１３
０のラック部１３０ａに噛合してカムスライダ１３０を駆動するカムスライダ駆動ピニオ
ン１４０とが設けられている。また、カムスライダ１３０にはトラバースの突部が係合す
る溝１３０ｃが形成されている。
【０００７】
ここで、カムスライダ駆動ピニオン１４０にカムスライダ１３０が噛合し始めるときに
カムスライダ駆動ピニオン１４０によってカムスライダ１３０に負荷が掛かることがあり
、その場合、図５（ｂ）のようにラック部１３０ａが反って、所謂歯飛びが生じる。その
結果、トラバースが正常に動作しなくなる。この異常動作は、上記の特許文献１〜３を応
用しても改善することはできない。
【０００８】
本発明は、カムスライダのラック部の反りを防止し、歯飛びによる異常動作をなくした
光ディスク装置を提供することを目的とする。
【課題を解決するための手段】
【０００９】
上記目的を達成するために本発明は、光ディスクを搬送するディスクトレイと、トラバ
ースを昇降させるカムスライダと、該カムスライダのラック部に噛合してカムスライダを
駆動するカムスライダ駆動ピニオンと、前記ディスクトレイと前記カムスライダと前記カ
ムスライダ駆動ピニオンとを支持するローダシャーシとを備えた光ディスク装置において
、少なくとも前記カムスライダと前記カムスライダ駆動ピニオンとの噛合開始時に、前記
カムスライダのラック部と前記ディスクトレイとの間を所定の間隔以上に保つ間隔保持部
材を設けたことを特徴とする。
【００１０】
この構成によると、カムスライダ駆動ピニオンにカムスライダが噛合し始めるときにカ
ムスライダ駆動ピニオンによってカムスライダに負荷が掛かり、カムスライダのラック部
が反ろうとするのを間隔保持部材が押さえる。
【００１１】
また上記の光ディスク装置において、前記間隔保持部材は、ディスクトレイに設けられ
た突起やラック部に設けられた突起やローダシャーシに設けられた突起とすることができ
る。
【００１２】
この構成によると、簡単な構成でカムスライダのラック部の反りを防止できる。
【００１３】
また本発明の光ディスク装置は、光ディスクを搬送するディスクトレイと、トラバース
を昇降させるカムスライダと、該カムスライダのラック部に噛合してカムスライダを駆動
するカムスライダ駆動ピニオンと、前記ディスクトレイと前記カムスライダと前記カムス
ライダ駆動ピニオンとを支持するローダシャーシとを備えた光ディスク装置において、少
なくとも前記カムスライダの駆動開始時に、前記カムスライダのラック部に対向する前記
ディスクトレイ側に、前記ラック部と前記ディスクトレイとの間を所定の間隔以上に保つ
Ｌ字型の突起を設けた構成とすることにより、具体化される。
【発明の効果】
【００１４】
本発明によれば、突起等の間隔保持部材を設けることで、カムスライダのラック部の反
りを防止し、歯飛びによる異常動作をなくし、トラバースを正常に動作させることができ
る。
【発明を実施するための最良の形態】
【００１５】
図１は、カムスライダとカムスライダ駆動ピニオンとが噛合し始める状態を示す光ディ
スク装置要部の平面透過図、図２は、図１のＡ−Ａ線断面図にローダシャーシを追加した
図、図３（ａ）は、ディスクトレイの裏面図、図３（ｂ）は、図３（ａ）のＢ−Ｂ線断面
図、図３（ｃ）は、図３（ａ）のＣ−Ｃ線断面図、図４は、カムスライダとカムスライダ
駆動ピニオンとが噛合し終わる状態を示す光ディスク装置要部の平面透過図である。
【００１６】
ローダシャーシ１１に、光ディスク（不図示）を搬送するディスクトレイ１２と、トラ
バース（不図示）を昇降させるカムスライダ１３と、カムスライダ１３のラック部１３ａ
に噛合してカムスライダ１３を駆動するカムスライダ駆動ピニオン１４とが支持されてい
る。
【００１７】
ディスクトレイ１２の裏面には、カムスライダ１３のラック部１３ａに対向する位置に
、ラック部１３ａとディスクトレイ１２との間を所定の間隔以上に保つ間隔保持部材とし
てＬ字型の突起１５が設けられている。突起１５は、少なくともカムスライダ１３の駆動
開始時にラック部１３ａに対向する位置であればよい。突起１５とラック部１３ａとの距
離は、ラック部１３ａが反っていない状態でラック部１３ａに接触しない程度離れており
、ラック部１３ａが反ったときに歯飛びが生じない程度にラック部１３ａを押さえつけら
れる近さであればよい。
【００１８】
また、突起１５の形状には特に限定はなく、Ｖ字型や直線型なども採用することができ
る。ディスクトレイ１２は樹脂製であり、突起１５はディスクトレイ１２の成形時に樹脂
で一体成形することができる。このように一体成形すれば、突起１５を形成するための追
加の工程は不要であり、生産効率には影響しない。
【００１９】
また、ディスクトレイ１２の裏面には、カムスライダ１３の上面に形成された突部１３
ｂを導く溝１６が形成されている。ディスクトレイ１２が閉じる動作中に突部１３ｂが溝
１６の斜め部分に沿って移動することにより、カムスライダ１３が駆動され、ラック部１
３ａがカムスライダ駆動ピニオン１４に噛合する。
【００２０】
カムスライダ１３は樹脂製であり、ディスクトレイ１２の裏面側に配設されている。ラ
ック部１３ａは板状であり、その側面にラックギヤが形成されている。カムスライダ１３
にはトラバースの突部に係合する溝（図５（ｂ）と同様）が形成され、カムスライダ１３
がディスクトレイ１２の駆動方向に略直角に駆動することにより、トラバースの突部が溝
に沿って移動し、トラバースが昇降する。
【００２１】
カムスライダ駆動ピニオン１４は樹脂製であり、ディスクトレイ１２の裏面側に配設さ
れている。カムスライダ駆動ピニオン１４の回転軸はローダシャーシ１１に固定されてい
る。カムスライダ駆動ピニオン１４は複数のギヤを介してモータで正逆方向に駆動される
。
【００２２】
次に、カムスライダ１３等の動作について説明する。ディスクトレイ１２が開いた状態
から閉じるまでの動作中に、ディスクトレイ１２の進行方向に沿った、突起１５の部分が
ラック部１３ａ上を通過する。そして、ディスクトレイ１２が完全に閉じる直前にディス
クトレイ１２の溝１６にカムスライダ１３の突部１３ａが嵌る（図１の状態）。そのまま
ディスクトレイ１２の閉じる動作に併せて突部１３ｂが溝１６の斜めに形成された部分に
沿って移動する。これにより、カムスライダ１３がカムスライダ駆動ピニオン１４の方向
（図１では右方向）へ移動し、ラック部１３ａがカムスライダ駆動ピニオン１４に噛合す
る。
【００２３】
そしてディスクトレイ１２が完全に閉じると、カムスライダ駆動ピニオン１４が回転し
、カムスライダ１３を図１の右方向に駆動させる（図４の状態）。その際、ディスクトレ
イ１２の進行方向と直角の方向に沿った、突起１５の部分がラック１３ａ上を通過する。
また、突部１３ｂは溝１６の左右方向に形成された部分に沿って移動する。このようにカ
ムスライダが右方向に動くことにより、トラバースが上昇する。
【００２４】
一方、ディスクトレイが閉じた状態から開くまでの動作は、カムスライダ駆動ピニオン
１４が逆回転することにより、上記と逆の動作が行われる。
【００２５】
上記の動作中、カムスライダ駆動ピニオン１４にカムスライダ１３が噛合し始めるとき
に、カムスライダ駆動ピニオン１４によってカムスライダ１３に負荷が掛かることがあり
、その場合、従来は図５（ｂ）のように、ラック部が反って歯飛びが生じていたが、本発
明では突起１５が存在することにより、突起１５がラック部１３ａとディスクトレイ１２
との間を所定の間隔以上に保つ、つまり、突起１５が反ろうとするラック部１３ａを押さ
える。その結果、歯飛びが生じることがなくなり、トラバースが正常に動作する。
【００２６】
なお、上記の実施形態では間隔保持部材として突起１５をディスクトレイ１２に設けて
いたが、この間隔保持部材は、ラック部１３ａに設けられた突起やローダシャーシ１１に
設けられた突起を採用してもよい。即ち間隔保持部材は、少なくともカムスライダ１３と
カムスライダ駆動ピニオン１４との噛合開始時に、カムスライダ１３のラック部１３ａと
ディスクトレイ１２との間を所定の間隔以上に保つ部材であればよい。
【００２７】
上記のカムスライダ等は、ＣＤやＤＶＤ等の光ディスクを再生、録音、録画する光ディ
スク装置に搭載される。光ディスク装置の一例としてＤＶＤプレーヤを例にその構成を説
明する。ＤＶＤプレーヤは、ＤＶＤにデジタル記録された画像データをデータ・ビット・
ストリームとして読み出すディスクドライブ装置と、読み出されたデータ・ビット・スト
リームから圧縮変換前の画像データと音声データとを復元して画像と音声を再生するデコ
ーダと、ＤＶＤプレーヤ全体の動作を制御する制御部と、視聴制限の基準となる所定の周
波数を格納するＥＥＰＲＯＭと、リモコンからの赤外線の明滅信号による操作指示を入力
する受光回路と、ユーザがＤＶＤプレーヤに対する操作指示をＤＶＤプレーヤ側にて実施
可能な操作パネルとから構成されている。付属品として上記の操作指示を入力するリモコ
ンがある。
【００２８】
ディスクドライブ装置は、フォーカス用の磁気駆動部等に対して制御信号を送出するこ
とにより光ピックアップを所定位置に駆動させるサーボ信号処理部と、光ピックアップか
らの読み取り信号を増幅して所定の制御信号を生成するＲＦアンプと、増幅された信号の
中から記録されているデジタルデータを復元してデータ・ビット・ストリームに変換して
出力するＣＤ信号処理部とから構成されている。
【００２９】
そして、制御部による制御のもとでこれらが相互に作動し、ＤＶＤに記録されたデータ
・ビット・ストリームをデコーダに出力可能となっている。デコーダはデータ・ビット・
ストリームをビデオ成分とオーディオ成分とに分離するとともにＭＰＥＧ復調し、ビデオ
信号と音声信号とに復元しつつそれらを同期させて出力する。
【００３０】
制御部の内部には演算処理の主体となるＣＰＵとともに、所定の制御プログラムが記録
されたＲＯＭやワークエリアなどとして利用されるＲＡＭが備えられているとともに、外
部機器を制御するための制御回路が備えられている。この制御部による制御のもとで上述
したようにディスクドライブ装置やデコーダが画像及び音声を再生する。
【産業上の利用可能性】
【００３１】
本発明は、ＣＤやＤＶＤ等の光ディスクを再生、録音、録画する光ディスク装置であっ
て、ピニオンでカムスライダをスライドさせるものに利用することができる。
【図面の簡単な説明】
【００３２】
【図１】カムスライダとカムスライダ駆動ピニオンとが噛合し始める状態を示す光ディスク装置要部の平面透過図である。
【図２】図１のＡ−Ａ線断面図にローダシャーシを追加した図である。
【図３】（ａ）はディスクトレイの裏面図、（ｂ）は図３（ａ）のＢ−Ｂ線断面図、（ｃ）は図３（ａ）のＣ−Ｃ線断面図である。
【図４】カムスライダとカムスライダ駆動ピニオンとが噛合し終わる状態を示す光ディスク装置要部の平面透過図である。
【図５】（ａ）はカムスライダとカムスライダ駆動ピニオンとの位置関係を示す平面図、（ｂ）は図５（ａ）の正面図である。
【符号の説明】
【００３３】
１１    ローダシャーシ
１２    ディスクトレイ
１３    カムスライダ
１３ａ  ラック部
１４    カムスライダ駆動ピニオン
１５    突起
【図１】
2007018670.tif 000003
【図２】
2007018670.tif 000004
【図３】
2007018670.tif 000005
【図４】
2007018670.tif 000006
【図５】
2007018670.tif 000007